(57)【要約】【課題】マイクロデジタルカラープレート構造を提供する。【解決手段】マイクロデジタルカラープレート構造は、主に、携帯が可能な小型ハウジング上に、カラーディスプレイ、及び、通信連接ポートを設置し、デジタル画像データをダウンロードし、また、ハウジング内には、駆動制御ユニット、メモリ保存ユニット、一組の電池、及び、自動再生ユニット、を有する。駆動制御ユニット一端は、通信連接ポートに連接され、もう一端は、カラーディスプレイと連接されて、デジタル画像データを受信して、画像に転換し、カラーディスプレイに呈現する。メモリ保存ユニットは、駆動制御ユニットと連接し、デジタル画像データを保存し、電池は、回路が必要な電源を提供し、自動再生ユニットは、選定されたデジタル画像を、順に、再生する。アクセサリや各小型掲示板、或いは、警告標示の画像表示に適用できる。【選択図】  図  １ 【実用新案登録請求の範囲】
【請求項１】
マイクロデジタルカラープレート構造であって、主に、携帯が可能な小型ハウジング上に、カラーディスプレイ、及び、通信連接ポートを設置し、デジタル画像データをダウンロードし、また、ハウジング内には、駆動制御ユニット、メモリ保存ユニット、一組の電池、及び、自動再生ユニット、を有し、
前記通信連接ポートは、電子設備によりデジタル画像データをダウンロードし、
前記駆動制御ユニット一端は、前記通信連接ポートに連接され、もう一端は、前記カラーディスプレイと連接されて、前記デジタル画像データを受信して、画像に転換し、カラーディスプレイに表示し、
前記メモリ保存ユニットは、前記駆動制御ユニットと連接し、前記デジタル画像データを保存し、
前記電池は、回路が必要な電源を提供し、
前記自動再生ユニットは、選定されたデジタル画像を、順に、再生し、
これにより、各種デジタル画像データは、マイクロデジタルカラープレート構造にダウンロードされて、画像を呈することを特徴とするマイクロデジタルカラープレート構造。
【請求項２】
前記通信連接ポートはＵＳＢで、一般の電子設備と連接された後、デジタル画像データをダウンロードすることを特徴とする請求項１に記載のマイクロデジタルカラープレート構造。
【請求項３】
前記通信連接ポートは、ネットワーク伝送の方式で、電子設備が提供するデジタル画像データをダウンロードすることを特徴とする請求項１に記載のマイクロデジタルカラープレート構造。
【請求項４】
前記電子設備は、携帯電話、読み取りカード、或いは、コンピュータのどれかであることを特徴とする請求項１に記載のマイクロデジタルカラープレート構造。
【請求項５】
前記ハウジング上に結合部を設け、複数のマイクロデジタルカラープレート構造を串状にした装飾品を形成することを特徴とする請求項１に記載のマイクロデジタルカラープレート構造。
【請求項６】
前記ハウジング上に、調整制御するボタンを有することを特徴とする請求項１に記載のマイクロデジタルカラープレート構造。
【請求項７】
前記ハウジング背面に、ゲルを貼有することを特徴とする請求項１に記載のマイクロデジタルカラープレート構造。
【請求項８】
前記ハウジング背面に、フックを有することを特徴とする請求項１に記載のマイクロデジタルカラープレート構造。
【請求項９】
更に、時計を内設することを特徴とする請求項１に記載のマイクロデジタルカラープレート構造。
【請求項１０】
ディスプレイを掲示板とすることを特徴とする請求項１に記載のマイクロデジタルカラープレート構造。
【考案の詳細な説明】
【技術分野】
【０００１】
本考案は、マイクロデジタルカラープレート構造に関するものであって、特に、表示画像が任意に選択、或いは、交換でき、ネットワーク機制により、随時、表示画像を更新できるマイクロデジタルカラープレート構造に関するものであり、構造が簡単で、携帯が便利、アクセサリや各小型掲示板、或いは、警告標示の画像表示に関する。
【背景技術】
【０００２】
アクセサリは、ファッションに鮮やかさや華やかさをもたらす服飾品で、一種の自己表現をするものである。早期のアクセサリは、どれもが静態造型であり、近年、ようやく、嵌装ＬＥＤとパターンを結合した発光可能な記章が出現し、付帯時に、動態のきらめく装飾効果を達成している。
【０００３】
造型が固定式で、且つ、ＬＥＤ発光の配置も所定のモードである故、動感的装飾効果には限りがあり、個人の好みで自由に自己表現することができない。また、時代の変遷と共に、消費水準も向上し、流行を追求し、オリジナルの風格を出すのに、現在のような固定不変の商品では、消費者の要求を満たすことができない。唯一、商品のパッケージや、小型化により、他の人とは異なる個性を表現するに止まっている。
【０００４】
更に、入力信号により、パターンや色彩の変更が可能な功能にとって、コンピュータディスプレイは最適な選択であるが、早期のディスプレイは、カメラチューブにより製造され、電力を消耗する以外に、体積が過大であるという欠点があり、携帯できるアクセサリの製造は不可能である。
幸いに、科学技術の進歩によって、各種ディスプレイ技術が誕生し、近来、液晶ディスプレイ（ＬＣＤ）(例えば、特許文献１)は、薄軽短小、低消耗電力、無輻射危険性、平面直角表示、及び、フリッカーがない、などの長所を具備し、液晶スクリーンの色彩も、レイヤーがはっきりしており、色が豊富で、コントラストも高いが、応用するにあたって、パソコン、デジタルカメラ、カメラ等の電子用品への使用に止まっている。
【０００５】
各種材質のディスプレイは小型化、高画質の色彩の趨勢を邁進し、現在のインターネットの普及もあって、インスピレーションを触発し、効果的に整合し、ディスプレイの応用領域は、周辺環境にも普及し、多種の異なる用途を提供することができる。
【特許文献１】特開２０００-３２２１５４
【考案の開示】
【考案が解決しようとする課題】
【０００６】
本考案は、簡単な構造で、携帯が便利で、表示画像を任意に選択、或いは、変換でき、ネットワーク機制により、随時、表示画像をダウンロードして更新するマイクロデジタルカラープレート構造を提供することを目的とする。
【課題を解決するための手段】
【０００７】
上述の目的を達成するため、本考案のマイクロデジタルカラープレート構造は、主に、携帯が可能な小型ハウジング上に、カラーディスプレイ、及び、通信連接ポートを設置し、デジタル画像データをダウンロードする。また、ハウジング内には、駆動制御ユニット、メモリ保存ユニット、一組の電池、及び、自動再生ユニット、を有する。駆動制御ユニット一端は、通信連接ポートに連接され、もう一端は、カラーディスプレイと連接されて、デジタル画像データを受信して、画像に転換し、カラーディスプレイに呈現する。メモリ保存ユニットは、駆動制御ユニットと連接し、デジタル画像データを保存する。電池は、回路が必要な電源を提供し、自動再生ユニットは、選定されたデジタル画像を、順に、再生する。
【０００８】
すなわち、請求項１の考案は、マイクロデジタルカラープレート構造であって、主に、携帯が可能な小型ハウジング上に、カラーディスプレイ、及び、通信連接ポートを設置し、デジタル画像データをダウンロードし、また、ハウジング内には、駆動制御ユニット、メモリ保存ユニット、一組の電池、及び、自動再生ユニット、を有し、前記通信連接ポートは、電子設備によりデジタル画像データをダウンロードし、前記駆動制御ユニット一端は、前記通信連接ポートに連接され、もう一端は、前記カラーディスプレイと連接されて、前記デジタル画像データを受信して、画像に転換し、カラーディスプレイに表示し、前記メモリ保存ユニットは、前記駆動制御ユニットと連接し、前記デジタル画像データを保存し、前記電池は、回路が必要な電源を提供し、前記自動再生ユニットは、選定されたデジタル画像を、順に、再生し、これにより、各種デジタル画像データは、マイクロデジタルカラープレート構造にダウンロードされて、画像を呈することを特徴とするマイクロデジタルカラープレート構造である。
【０００９】
請求項２の考案は、前記通信連接ポートはＵＳＢで、一般の電子設備と連接された後、デジタル画像データをダウンロードすることを特徴とする請求項１に記載のマイクロデジタルカラープレート構造であり、請求項３の考案は、前記通信連接ポートは、ネットワーク伝送の方式で、電子設備が提供するデジタル画像データをダウンロードすることを特徴とする請求項１に記載のマイクロデジタルカラープレート構造であり、請求項４の考案は、前記電子設備は、携帯電話、読み取りカード、或いは、コンピュータのどれかであることを特徴とする請求項１に記載のマイクロデジタルカラープレート構造であり、請求項５の考案は、前記ハウジング上に結合部を設け、複数のマイクロデジタルカラープレート構造を串状にした装飾品を形成することを特徴とする請求項１に記載のマイクロデジタルカラープレート構造であり、請求項６の考案は、前記ハウジング上に、調整制御するボタンを有することを特徴とする請求項１に記載のマイクロデジタルカラープレート構造であり、請求項７の考案は、前記ハウジング背面に、ゲルを貼有することを特徴とする請求項１に記載のマイクロデジタルカラープレート構造であり、請求項８の考案は、前記ハウジング背面に、フックを有することを特徴とする請求項１に記載のマイクロデジタルカラープレート構造であり、請求項９の考案は、更に、時計を内設することを特徴とする請求項１に記載のマイクロデジタルカラープレート構造であり、請求項１０の考案は、ディスプレイを掲示板とすることを特徴とする請求項１に記載のマイクロデジタルカラープレート構造である。
【考案の効果】
【００１０】
本考案は、以上のようなマイクロデジタルカラープレート構造であるから、簡単な構造で、携帯が便利で、表示画像を任意に選択、或いは、変換でき、ネットワーク機制により、随時、表示画像をダウンロードして更新するマイクロデジタルカラープレート構造が提供され、アクセサリや各小型掲示板、或いは、警告標示の画像表示に適用できる。
【考案を実施するための最良の形態】
【００１１】
本考案の好適な実施例を図面に沿って説明する。
図１、図２は、本考案のマイクロデジタルカラープレート構造１の実施例を示す図である。主に、携帯が可能な小型ハウジング２上に、カラーディスプレイ３、及び、通信連接ポート４を設置し、デジタル画像データをダウンロードする。ハウジング２内には、駆動制御ユニット５、メモリ保存ユニット６、一組の電池８、及び、自動再生ユニット９、を有する。
【００１２】
ハウジング２の表面は、調整制御に用いるボタン２１を有する。駆動制御ユニット５の一端は、通信連接ポート４に連接され、もう一端は、カラーディスプレイ３と連接される。通信連接ポート４は、ユニバーサル・シリアル・バス(ＵＳＢ：universal serial bus）で、一般の電子設備と連接された後、ネットワーク伝送の方式で、デジタル画像データをダウンロードすると共に、受信したデジタル画像データが駆動制御ユニット５を経て、画像に転換され、カラーディスプレイ３に表示される。メモリ保存ユニット６は、駆動制御ユニット５と連接し、デジタル画像データを保存する。電池８は、回路が必要な電源を提供し、自動再生ユニット９は、選定されたデジタル画像を、順に、再生する。
【００１３】
このように、使用時に、駆動制御ユニット５が、通信連接ポート４と一般の電子設備（例えば、携帯電話、読み取り機、或いは、コンピュータ等）と連接された後、ネットワーク伝送の方式で、使用者が必要とするデジタル画像データをダウンロードし、受信したデジタル画像データは、メモリ保存ユニット６内に保存して、駆動制御ユニット５に読み取らせる。デジタル画像データは、駆動制御ユニット５に読み取られ、画像を転換して、カラーディスプレイ３で表示される。使用者は、ハウジング２表面のボタン２１の設定だけで、パターンの表示方法、或いは、配列を切り換え調整することができる。
【００１４】
応用上、単独で付帯しても、或いは、図３で示されるように、多数を串状にしてもよく、ハウジング２上に結合部２２を設け、複数のマイクロデジタルカラープレート構造１は、ベルト１０、または、ブレスレットにより、繋結されて発光装飾品を形成し、使用者が身に付けることができるようにしている。使用者は、自分の好みや流行で、通信連接ポート４により、最新の流行パターンをダウンロードする。この他、製品に更に実用性を備えさせるため、マイクロデジタルカラープレート構造は、時計（図４で示される）を内設することができ、時計は、自動再生装置９と相互に連接し、通常の時計の功能以外に、パターンが変更する時計として使用することも出来る。
【００１５】
図５、図６を参照すると、本考案の実施例は、表示パターンをダウンロードする機能を有するので、使用上、更に拡張して、内容の変動が可能な掲示板としての使用が出来、フック２３（背面にゲルを有する）により、ドア、或いは、壁面に固定し、選定したパターンやスローガンをダウンロードすれば、必要な指示目的が達成される。そのパターンは多変で、故に、単一の構造で、公知の固定パターンの掲示板を完全に代替することが出来、実用的で、色彩美観を向上することができる。
【００１６】
本考案の長所は以下のようである。
1．本考案のマイクロデジタルカラープレート構造は、構造が簡単で、携帯が便利、使用者は、表示したい画像を任意に選択、或いは、変更すると共に、インターネット等の通信ネットワークを利用して、最新の流行のパターンをダウンロードすることが出来る。
２．本考案のマイクロデジタルカラープレート構造は、小型で精巧な造型で、携帯が便利で、服飾造型に組み合わせることができる他、適当な位置に固定できるので、掲示板としての用途も可能で、表示するパターンは、人、場所、物の需要によって変化でき、製品の価値を向上する。
【図面の簡単な説明】
【００１７】
【図１】本考案の実施例の各部素子の連接を示す図である。
【図２】本考案の実施例による立体外観図である。
【図３】本考案の実施例による串状装飾品にした時の立体外観図である。
【図４】本考案の実施例による時間表示時の立体外観図である。
【図５】本考案の実施例による掲示板とした状態を示す図である。
【図６】本考案の実施例によるフックを設けていることを示す図である。
【符号の説明】
【００１８】
１…マイクロデジタルカラープレート構造
２…ハウジング
２１…ボタン
２２…結合部
２３…フック
３…カラーディスプレイ
４…通信連接ポート
５…駆動制御ユニット
６…メモリ保存ユニット
８…電池
９…自動再生装置
１０…ベルト
【図１】
0003107163.tif 000002
【図２】
0003107163.tif 000003
【図３】
0003107163.tif 000004
【図４】
0003107163.tif 000005
【図５】
0003107163.tif 000006
【図６】
0003107163.tif 000007